(57)【要約】【課題】プラズマディスプレイ装置において、電源コードの着脱が容易で、かつ電源コ−ド及びコネクタ部に重畳されるノイズを低減することを目的とする。【解決手段】パネル及びこのパネルの背面側に配置されかつパネルに信号を印加して表示を行う回路ブロックからなる表示ユニットと、この表示ユニットに電源を供給する電源ブロックと、この電源ブロックの入力ブロック３６と商用電源の電源コンセントとを接続するための電源コード４３とを有し、電源コード４３は、一端に電源コンセントに接続するプラグ部４４を有するとともに他端にインレット４０に接続するコネクタ部４５を有し、かつプラグ部４４とコネクタ部４５との間のコード部４６をシールドし、かつプラグ部４４にアクロス・ザ・ライン・コンデンサ４７を備えたものである。【選択図】　図１
2004069890.tif 000002
【特許請求の範囲】
【請求項１】
パネル及びこのパネルの背面側に配置されかつパネルに信号を印加して表示を行う回路ブロックからなる表示ユニットと、この表示ユニットに電源を供給する電源ブロックとを備え、前記電源ブロックと商用電源の電源コンセントとを接続するための電源コ−ドのプラグ部に、アクロス・ザ・ライン・コンデンサを備えたことを特徴とするプラズマディスプレイ装置。
【請求項２】
電源コードは、一端に電源コンセントに接続するプラグ部を有するとともに他端にインレットに接続するコネクタ部を有し、かつ前記プラグ部とコネクタ部との間のコード部をシールドした構造であり、プラグ部にアクロス・ザ・ライン・コンデンサを備えたことを特徴とする請求項１に記載のプラズマディスプレイ装置。
【発明の詳細な説明】
【０００１】
【発明の属する技術分野】
本発明は、大画面で、薄型、軽量のディスプレイ装置として知られているプラズマディスプレイ装置に関するものである。
【０００２】
【従来の技術】
このプラズマディスプレイ装置では、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００３】
このプラズマディスプレイ装置には、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のもので、その構造は、一方の基板上に平行に隣接した表示電極対を有し、もう一方の基板上に表示電極と交差する方向に配列されたアドレス電極と、隔壁、蛍光体層を有するもので、比較的蛍光体層を厚くすることができ、蛍光体によるカラー表示に適している。
【０００４】
このようなプラズマディスプレイ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
以下、プラズマディスプレイ装置について、図３〜図６を用いて説明する。まず、プラズマディスプレイ装置におけるプラズマディスプレイパネルの構造について図３を用いて説明する。図３に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【０００６】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【０００７】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【０００８】
図４にこのプラズマディスプレイパネルの電極配列を示しており、図４に示すようにスキャン電極およびサステイン電極とアドレス電極とは、Ｍ行×Ｎ列のマトリックス構成であり、行方向にはＭ行のスキャン電極ＳＣＮ１〜ＳＣＮＭおよびサステイン電極ＳＵＳ１〜ＳＵＳＭが配列され、列方向にはＮ列のアドレス電極Ｄ１〜ＤＮが配列されている。
【０００９】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００１０】
図５は上記で説明した構造のパネルを組み込んだプラズマディスプレイ装置の全体構成の一例を示す分解斜視図である。図において、パネル１０は、アルミニウム等からなるシャーシ部材１１の前面に熱伝導シート１２を介して接着することにより保持され、そしてシャーシ部材１１の背面側には、パネル１０を表示駆動させるための複数の回路ブロック１３が取り付けられ、これにより表示ユニットが構成されている。前記熱伝導シート１２は、パネル１０で発生した熱をシャーシ部材１１に効率よく伝え、放熱を行うためのものである。また、回路ブロックはパネル１０の表示駆動とその制御を行うための電気回路を備えており、パネル１０の縁部に引き出された電極引出部に、シャーシ部材１１の四辺の外縁部を跨ぐように越えて延びる複数のフレキシブル配線板（図示せず）によって電気的に接続されている。
【００１１】
前記表示ユニットを収容する筐体は、表示ユニットの回路ブロック１３が配置された背面側を覆うように配設したバックカバー１４と、前記表示ユニットのパネル１０の前面側に配置されかつ前記パネル１０の表示領域に対応した窓１５ａを有するとともに表示領域以外の周辺部を覆う金属製の前面枠１５とから構成され、前面枠１５の窓１５ａには光学フィルターおよびパネル１０の保護を兼ねた前面ガラス１６が配置されている。この前面ガラス１６には電磁波の不要輻射を抑制するために、透明導電膜が施されている。さらに、バックカバー１４には、パネル１０等で発生した熱を外部に放出するための複数の通気孔１４ａが設けられている。
【００１２】
このような構成のプラズマディスプレイ装置において、雑音端子電圧を低減させる構造としては、特開平１１−１８６７８０号公報に記載されたものが知られている。
【００１３】
図６（ａ）、（ｂ）、（ｃ）に従来のプラズマディスプレイ装置における雑音端子電圧の低減構造の一例を示しており、図６において、筐体２１の側面２１ａの下端部等に設けた導通孔２１ｂからシールド付きの電源コード２２を貫通させ、その電源コード２２の先端に設けたコネクタ２３を、プラズマディスプレイ装置の電源ブロックの基板２４に取り付けたインレット２５に挿入して基板２４に電源を供給するような構造としている。インレット２５は、取付金具２６により基板２４にネジ２７等で固定されている。
【００１４】
【発明が解決しようとする課題】
しかしながら、このような構造では、シールドの施されていないコネクタ２３が筐体２１の内部に収納されるため、コネクタ２３の部分からノイズが重畳されるのを防止することができるものの、電源コ−ド２２のコネクタ２３がプラズマディスプレイ装置の筐体内部にあるため、電源コ−ド２２を容易に着脱できないという問題があった。
【００１５】
本発明はこのような従来の課題を解決するもので、電源コードの着脱が容易で、かつ電源コ−ド及びコネクタ部に重畳されるノイズを低減することを目的とする。
【００１６】
【課題を解決するための手段】
上記目的を達成するために本発明は、電源ブロックと商用電源の電源コンセントとを接続するための電源コ−ドのプラグ部に、アクロス・ザ・ライン・コンデンサを備えることより、電源コ−ド及びコネクタ部に重畳されるノイズを低減するものである。
【００１７】
【発明の実施の形態】
すなわち、本発明の請求項１記載の発明は、パネル及びこのパネルの背面側に配置されかつパネルに信号を印加して表示を行う回路ブロックからなる表示ユニットと、この表示ユニットに電源を供給する電源ブロックとを備え、前記電源ブロックと商用電源の電源コンセントとを接続するための電源コ−ドのプラグ部に、アクロス・ザ・ライン・コンデンサを備えたことを特徴とするものである。
【００１８】
また、請求項２に記載の発明は、請求項１において、電源コードは、一端に電源コンセントに接続するプラグ部を有するとともに他端にインレットに接続するコネクタ部を有し、かつ前記プラグ部とコネクタ部との間のコード部をシールドした構造であり、プラグ部にアクロス・ザ・ライン・コンデンサを備えたものである。
【００１９】
以下、本発明の一実施の形態によるプラズマディスプレイ装置について、図１及び図２を用いて説明する。なお、図１、図２において、図３〜図６に示す部分と同一部分については、同一番号を付している。
【００２０】
図１に本発明の一実施の形態によるプラズマディスプレイ装置の要部構成を示し、図２はそのプラズマディスプレイ装置において、バックカバーを外して表示ユニットの配置構造を示す平面図であり、まず図２を用いて、プラズマディスプレイ装置の全体構成を説明する。
【００２１】
図２において、スキャンドライバ回路ブロック３０はパネル１０のスキャン電極に所定の信号電圧を供給し、サステインドライバ回路ブロック３１はパネル１０のサステイン電極に所定の信号電圧を供給し、アドレスドライバ回路ブロック３２はパネル１０のアドレス電極に所定の信号電圧を供給するもので、スキャンドライバ回路ブロック３０、サステインドライバ回路ブロック３１はシャーシ部材１１の幅方向の両端部にそれぞれ配置され、またアドレスドライバ回路ブロック３２はシャーシ部材１１の高さ方向の上端部および下端部に配置されている。
【００２２】
制御回路ブロック３３は、テレビジョンチューナ等の外部機器に接続するための接続ケーブルが着脱可能に接続される入力端子部を備えた入力信号回路ブロック３４から送られる映像信号に基づき、画像データをパネル１０の画素数に応じた画像データ信号に変換してアドレスドライバ回路ブロック３２に供給すると共に、放電制御タイミング信号を発生し、各々スキャンドライバ回路ブロック３０およびサステインドライバ回路ブロック３１に供給し、階調制御等の表示駆動制御を行うもので、シャーシ部材１１のほぼ中央部に配置されている。
【００２３】
電源ブロック３５は、前記各回路ブロックに電圧を供給するもので、前記制御回路ブロック３３と同様、シャーシ部材１１のほぼ中央部に配置され、電源コード（図示せず）が装着される電源ブロック３５の入力ブロック３６を通して商用電源電圧が供給される。
【００２４】
フレキシブル配線板３７は、パネル１０のスキャン電極、サステイン電極の電極引出部とスキャンドライバ回路ブロック３０、サステインドライバ回路ブロック３１のプリント配線板とを接続し、フレキシブル配線板３８はパネル１０のアドレス電極の電極引出部とアドレスドライバ回路ブロック３２のプリント配線板とを接続するもので、パネル１０の外周部を通して、前面側より背面側に１８０度湾曲させて引き回して配置している。
【００２５】
また、図示していないが、前記各回路ブロックは、グランド端子を金属製のシャーシ部材１１に接続している。
【００２６】
次に、本発明によるプラズマディスプレイ装置の要部構造について、図１を用いて説明すると、図１に示すように、電源ブロック３５の入力ブロック３６において、シャーシ部材１１に取り付けられた金属筐体３９には、インレット４０が取り付けられている。このインレット４０の電源端子４０ａは入力ブロック３６の基板４１に接続され、ア−ス端子４０ｂは金属筐体３９に接続されている。４２はインレット４０の各端子と基板４１及び金属筐体３９を接続するための配線である。
【００２７】
電源コード４３は、一端に電源コンセントに接続するプラグ部４４を有するとともに他端にインレット４０に接続するコネクタ部４５を有し、かつ前記プラグ部４４とコネクタ部４５の間のコード部４６をシールドした構造であり、プラグ部４４にアクロス・ザ・ライン・コンデンサ４７を備えている。また、プラグ部４４及びコネクタ部４５はそれぞれアース端子４４ａ、４５ａを有する構造である。
【００２８】
すなわち、本発明においては、電源ブロック３５と商用電源の電源コンセントとを接続するための電源コ−ド４３のプラグ部４４に、アクロス・ザ・ライン・コンデンサ４７を備えたもので、この構成により、プラズマディスプレイ装置内部で発生したノイズが金属筐体３９のシールドを通過して、シールドの施されていないコネクタ部４５から重畳された場合であっても、プラグ部４４に内蔵されたアクロス・ザ・ライン・コンデンサ４７で吸収し、低減させることができる。しかも、従来のように、コネクタ部４５を金属筐体３９内に配置する必要がないため、電源コード４３の着脱を容易に行うことができる。
【００２９】
【発明の効果】
以上説明したように、本発明のプラズマディスプレイ装置によれば、電源コードのプラグ部にアクロス・ザ・ライン・コンデンサを備えることにより電源コード及びコネクタ部に重畳されたノイズを低減することができ、しかも雑音端子電圧の低減を実現しながら、電源コードの着脱を容易に行うことができるという効果が得られる。
【図面の簡単な説明】
【図１】本発明の一実施の形態によるプラズマディスプレイ装置の要部を示す概略構成図
【図２】同プラズマディスプレイ装置の要部構造を示す平面図
【図３】プラズマディスプレイ装置のパネル構造を示す斜視図
【図４】プラズマディスプレイ装置の電極配列をを示す電気配線図
【図５】プラズマディスプレイ装置の全体構成を示す分解斜視図
【図６】従来のプラズマディスプレイ装置の要部を示す概略構成図
【符号の説明】
１０　パネル
１１　シャーシ部材
１３　回路ブロック
３５　電源ブロック
３６　入力ブロック
４０　インレット
４３　電源コード
４４　プラグ部
４５　コネクタ部
４６　コード部
４７　アクロス・ザ・ライン・コンデンサ
【図１】
2004069890.tif 000003
【図２】
2004069890.tif 000004
【図３】
2004069890.tif 000005
【図４】
2004069890.tif 000006
【図５】
2004069890.tif 000007
【図６】
2004069890.tif 000008